(57)【特許請求の範囲】
【請求項１】
光信号を増幅又は分岐するための光部品、前記光部品に光学的に接続された光ファイバ、前記光部品と前記光ファイバとを配置する取付プレート部を内部に有する筒状シャーシを備え、前記筒状シャーシは外周壁を切欠いて設けたケーブル挿通部を介して前記取付プレート部の表裏にわたり前記光ファイバが配線可能であり、
筒状シャーシは軸方向に沿って両端まで切欠いて設けたケーブル挿通部を有すると共に端部に接続固定部を有し、複数の前記筒状シャーシを前記ケーブル挿通部が連なるように接続され、
連なった複数のケーブル挿通部を被うように複数の筒状シャーシに接続する補強板を設けたことを特徴とする光海底中継器ユニット。
【請求項２】
補強板は一方の面が弧状をなし、他方の面がケーブル挿通部の縁部に当接して固定部材により筒状シャーシに接続固定され、前記一方の面と前記筒状シャーシの外周壁面とにより、ほぼ円形の外周面が形成されることを特徴とする請求項１に記載の光海底中継器ユニット。
【請求項３】
筒状シャーシのケーブル挿通部にケーブルホルダを設けたことを特徴とする請求項１に記載の光海底中継器ユニット。
【発明の詳細な説明】
【０００１】
【発明の属する技術分野】
この発明は、海底などに敷設され、光信号を増幅又は分岐する光海底中継器ユニットに係わり、特に、組立性向上及び機械的強度向上が図れる光海底中継器ユニットに関するものである。
【０００２】
【従来の技術】
図６は、例えば特開平４−２１７２０７号公報に開示された従来の光海底中継器ユニットを示す斜視図、図７は線分ＡＡによる断面図である。図６において、１０１〜１０４は光海底中継器ユニットであり、入力した光信号を増幅又は分岐して出力する。これら光海底中継器ユニット１０１〜１０４は、その外形が正８角形の平板状シャーシを有し、その一方の面（表面）に光信号を増幅又は分岐する光部品が取り付けられている。１０５は連結部材であり、光海底中継器ユニット１０１〜１０４を連結する。１０６は金属製の筒部であり、４本の連結部材１０５にて接続した光海底中継器ユニット１０１〜１０４を内部に収納する。１０７は筒部１０６の両端に固定される端面板である。１０８は光海底中継器ユニット装置であり、符号１０１〜１０７を付した構成を含む。１２０は電力を供給する給電線、１２１は光信号を伝送する光ファイバである。
【０００３】
また、図７において、１１０は光部品モジュールであり、励起光源であるレーザーダイオード（図中点線で示す）などを有する。１１１は一端が光部品モジユール１１０に接続した増幅用光ファイバ、１１２は給電線であり、光部品モジュール１１０に電力を供給する。
【０００４】
また、１１３はシャーシであり、正８角形で所定厚さの平板からなる。このシャーシ１１３は、その一方の面、すなわち表面に光部品モジュール１１０が固定される他、増幅用光ファイバ１１１などが配線処理され、裏面（不図示）に増幅用光ファイバ１１１の余長が配線処理されている。
【０００５】
また、１１４，１１５は孔部であり、シャーシ１１３を貫通して設けられている。この孔部１１４に増幅用光ファイバ１１１を挿通させることにより、シャーシ１１３の表面に配置した光部品モジュール１１０に接続した増幅用光ファイバ１１１の余長をその裏面に配置することができる。なお、給電線１１２は孔部１１５を挿通してシャーシ１１３の裏面側から表面側に配線されている。
【０００６】
【発明が解決しようとする課題】
従来の光海底中継器ユニットは以上のように構成されているので、光ファイバの余長を処理するために、光ファイバを孔部に挿通させなければならず、作業性が悪いという問題点があった。また、比較的狭い孔部に光ファイバを挿通させた後にその余長の配線処理をするので、孔部の縁に光ファイバが引っかかり破損するおそれがあるという問題点があった。また、正８角形状のシャーシを連結部材で連結し、その上に筒部を被せるという構成のため、筒部とシャーシとの間に隙間ができ、機械的強度をあまり大きくできないという問題点があった。
【０００７】
この発明は以上の問題点を解消するためになされたもので、光ファイバの配線作業性を向上できる光海底中継器ユニットを得ること。また、光ファイバの破損を防止できる光海底中継器ユニットを得ること。また、機械的強度を向上可能な光海底中継器ユニットを得ること。
【０００８】
【課題を解決するための手段】
この発明の光海底中継器ユニットは、光信号を増幅又は分岐するための光部品、前記光部品に光学的に接続された光ファイバ、前記光部品と前記光ファイバとを配置する取付プレート部を内部に有する筒状シャーシを備え、前記筒状シャーシは外周壁を切欠いて設けたケーブル挿通部を介して前記取付プレート部の表裏にわたり前記光ファイバが配線可能であり、
筒状シャーシは軸方向に沿って両端まで切欠いて設けたケーブル挿通部を有すると共に端部に接続固定部を有し、複数の前記筒状シャーシを前記ケーブル挿通部が連なるように接続され、
連なった複数のケーブル挿通部を被うように複数の筒状シャーシに接続する補強板を設けたものである。
【００１１】
また、この発明の光海底中継器ユニットは、補強板は一方の面が弧状をなし、他方の面がケーブル挿通部の縁部に当接して固定部材により筒状シャーシに接続固定され、前記一方の面と前記筒状シャーシの外周壁面とにより、ほぼ円形の外周面が形成されるものである。
【００１２】
また、この発明の光海底中継器ユニットは、筒状シャーシのケーブル挿通部にケーブルホルダを設けたものである。
【００１５】
【発明の実施の形態】
実施の形態１．
この発明による光海底中継器ユニットの一実施の形態を説明する。図１はこの発明の実施の形態１による光海底中継器ユニットを搭載した光海底中継器を示す説明図、図２は図１に示す光海底中継器ユニット装置の説明図、図３は図２に示す光海底中継器ユニット装置の一部分解斜視図、図４（ａ）は図３に示す矢視Ｂからの光海底中継器ユニットを示す説明図、図４（ｂ）は図３に示す矢視Ｃからの光海底中継器ユニットを示す説明図である。図において、図６又は図７と同一符号は同一または相当部分を示し説明を省略する。１は光海底中継器ユニット装置であり、複数の光海底中継器ユニット１１〜１４を有し、複数回線の光信号を中継可能に構成されている。２は筒状の耐圧筐体であり、深度８，０００ｍでの水圧にも耐え得るような外壁の厚さ及び形状を有している。２ａは耐圧筐体２の端面板である。３は波状の板ばねであり、耐圧筐体２に加わる衝撃から光海底中継器ユニット装置１を保護する。４は皿ばねであり、光海底中継器ユニット装置１の軸方向に対する衝撃を吸収する。５は輪止めであり、皿ばね４を介して光海底中継器ユニット装置１を耐圧筐体２内の所定位置に位置決めしている。６は光海底中継器であり、符号１〜５を付した構成を含む。なお、１２２は海底ケーブルであり、内部に給電線１２０や光ファイバ１２１を有している。
【００１６】
また、図２，図３において、１１〜１４は光海底中継器ユニットであり、外形を筒状に形成されると共にその外壁の一部が切り欠かれた形状をしており、筒状のシャーシ部１１ａ〜１４ａ内に取付プレート部１１ｂ〜１４ｂを有し、光信号を増幅するための光部品（不図示）などを搭載している。
【００１７】
また、１５は固定部材であるボルトであり、隣接する光海底中継器ユニットを接続固定する。１６は補強板であり、光海底中継器ユニット１１〜１４に接続されると共にその接続状態で外周壁面が円形になるように一方の面を弧状に形成されている。１７，１８は端面板であり、給電線１２０と光ファイバ１２１の引き込み部を有する。
【００１８】
また、図４において、１１ｃはシャーシ部１１ａの外壁の一部を軸方向に沿って両端まで切り欠いて形成したケーブル挿通部である。１１ｄはケーブル挿通部１１ｃの縁部に形成された補強板取り付け部であり、ボルト１５が螺合する雌ネジ部１１ｄ１を有する。１１ｅは連結用段部であり、雌ネジ部１１ｅ１を有し、外周壁面の径よりも小径に形成されて相手方に嵌るように形成されている。
【００１９】
また、１１ｆは連結用溝部であり、ボルト１５（図２に示す）を挿通する孔部１１ｆ１を有し、相手方の連結用段部が嵌合する。
【００２０】
なお、図示しないが、シャーシ部１２ａ〜１４ａもシャーシ部１１ａと同様の構造となっており、何れにもケーブル挿通部，補強板取り付け部，連結用段部及び連結用溝部などが設けられている。
【００２１】
次に光ファイバの収納動作を図により説明する。図４に示すように、光部品モジュール１１０に接続した増幅用光ファイバ１１１を取付プレート部１１ｂの光部品取付け面からケーブル挿通部１１ｃを介して裏面の光ファイバ余長収納面に引き回す。ケーブル挿通部１１ｃは一方が開口しているので、増幅用光ファイバ１１１を容易に裏面まで引き回すことができ作業性を向上できる。また、増幅用光ファイバ１１１が孔の縁に擦りながら引き回されるという作業の発生を防止でき、光ファイバの損傷を防止できる。
【００２２】
次に、図２又は図３に示すように、各々のケーブル挿通部が連なるように光海底中継器ユニット１１〜１４を縦列に配置し、また、端面板１７，１８をその両端に配置して、各々の連結用段部と連結用溝部とを嵌合し、ボルト１５により接続する。次に、補強板１６をボルト１５により光海底中継器ユニット１１〜１４に接続固定して、図２に示すような光海底中継器ユニット装置１とする。この光海底中継器ユニット装置１を図１に示すように耐圧筐体２内に搭載して光海底中継器６を構成する。
【００２３】
この実施の形態１による光海底中継器ユニット１１〜１４は、光信号を増幅する光部品モジュール１１０の取付プレート部１１ｂ〜１４ｂを内部に有すると共に外周壁の一部が軸方向に切り欠かれて設けられたケーブル挿通部を有する筒状のシャーシ部１１ａ〜１４ａを備え、ケーブル挿通部が取付プレート部１１ｂ〜１４ｂ各々の表裏にわたってケーブルを挿通可能に設けられているので、一方側が開口したケーブル挿通部を介して、光部品モジュールに接続した光ファイバを容易に裏面の光ファイバ余長収納面に引き回すことができる。また、ケーブル挿通部は一方が開口しているので、従来のように光ファイバが孔の縁に擦りながら引き回されるという作業の発生を防止でき、光ファイバの損傷を防止できる。
【００２４】
また、取付プレート部１１ｂ〜１４ｂは軸方向に沿ってほぼ中央の所定位置，所定厚さで軸方向にほぼ直交するように設けられているので、筒状シャーシ部１１ａ〜１４ａの構造的な強度を十分確保することができる。
【００２５】
また、軸方向に沿って両端まで切欠いて設けたケーブル挿通部を有する複数の筒状シャーシ部１１ａ〜１４ａをケーブル挿通部が連なるように接続しているので、取付プレート部１１ｂ〜１４ｂの表裏面ばかりでなく、例えば、シャーシ部１１ａからシャーシ部１４ａに至るケーブルを配線することができる。
【００２６】
また、連なった複数のケーブル挿通部を被うように複数の筒状シャーシ部１１ａ〜１４ａに接続する補強板１６を設けたので、ケーブル挿通部を通過するケーブルを保護することができると共に、シャーシ部１１ａ〜１４ａの外周壁の一部が切り欠かれていても光海底中継器ユニットとしての強度を確保することができる。
【００２７】
また、補強板１６は一方の面が弧状をなし、他方の面がケーブル挿通部の縁部に当接してボルト１５により筒状シャーシ部１１ａ〜１４ａに接続固定され、補強板１６の一方の面と筒状シャーシ部１１ａ〜１４ａ各々の外周壁面とにより、ほぼ円形の外周面が形成されるので、図６に示す従来の光海底中継器ユニット１０８のように別体の筒部１０６を用いる必要がなく、部品点数を削減できると共に、光海底中継器６に搭載したときは波状の板ばね３に均等に支持され、光海底中継器６外部からの衝撃に対して良好な耐性が得られる。
【００２８】
なお、この実施の形態１では、光海底中継器ユニット１１〜１４には光信号を増幅する光部品である光部品モジュール１１０を搭載した場合について述べたが、それに限定するものではなく、光スイッチ（不図示）などを搭載して光信号を分岐出力するようなものにしても良いことは言うまでもない。
【００２９】
実施の形態２．
この発明による光海底中継器ユニットの他の態様を説明する。図５はこの発明の実施の形態２による光海底中継器ユニットの態様を示す説明図であり、図５（ａ）は図４（ａ）同様の矢視方向からの説明図、図５（ｂ）は図４（ｂ）同様の矢視方向からの説明図である。図において、図４と同一符号は同一または相当部分を示し説明を省略する。１１ｇはケーブルホルダであり、ボビン状に形成されてケーブル挿通部１１ｃ内で取付プレート部１１ｂの側面に設けられており、ケーブル挿通部１１ｃを通る増幅用光ファイバ１１１が巻き回されて、補強板取り付け部１１ｄの補強板１６との当接面から突出しないように増幅用光ファイバ１１１を保持する。これにより、増幅用光ファイバ１１１の引き回しが容易にできると共に、補強板１６を取付ける際に増幅用光ファイバ１１１の噛み込みが起きるのを防止できる。
【００３０】
なお、図示しないが、シャーシ部１２ａ〜１４ａ各々にもケーブルホルダ１１ｇと同様のケーブルホルダが設けられている。
【００３１】
この実施の形態２による光海底中継器ユニットによれば、筒状シャーシ１１ａ〜１４ａのケーブル挿通部にケーブルホルダを設けたので、増幅用光ファイバ１１１の引き回しが容易にできると共に、補強板１６を取付ける際に光ファイバの噛み込みが起きるのを防止できる。
【００３２】
なお、以上の実施の形態１，２では、ケーブル挿通部の機能として、主に取付プレート部１１ｂ〜１４ｂの表裏に光ファイバを引き回すためのものと説明したが、それに限定するものではなく、図４（ａ），図５（ａ）に示すように光海底中継器ユニット１１〜１４に給電する給電線１１２を挿通するのに用いても良いことは言うまでもない。また、ケーブルホルダについても同様である。
【００３３】
また、図２〜図５に示す光海底中継器ユニットは、その取付プレート部１１ｂ〜１４ｂがシャーシ部１１ａ〜１４ａのほぼ中央の所定位置で所定の厚さを有し、シャーシ部１１ａ〜１４ａの内径と同一直径の円形状に形成されているので、図６に示す従来の光海底中継器ユニットよりも機械的強度を向上でき、図１に示す光海底中継器６に搭載した際の信頼性が向上する。
【００３４】
【発明の効果】
この発明の光海底中継器ユニットによれば、光信号を増幅又は分岐するための光部品、光部品に光学的に接続された光ファイバ、光部品と光ファイバとを配置する取付プレート部を内部に有する筒状シャーシを備え、筒状シャーシは外周壁を切欠いて設けたケーブル挿通部を介して取付プレートの表裏にわたり光ファイバが配線可能であるので、ケーブル挿通部を挿通させて光ファイバ余長処理を円滑に行うことができると共に、光ファイバが従来のように、孔の縁に擦りながら引き回されるという作業の発生を防止でき、光ファイバの損傷を防止できる。また、筒状シャーシは軸方向に沿って両端まで切欠いて設けたケーブル挿通部を有すると共に端部に接続固定部を有し、複数の筒状シャーシをケーブル挿通部が連なるように接続されているので、例えば一方側の筒状シャーシから他方側の筒状シャーシに至るケーブルを配線することができる。また、連なった複数のケーブル挿通部を被うように複数の筒状シャーシに接続する補強板を設けたので、ケーブル挿通部を通過するケーブルを保護することができると共に、シャーシの外周壁の一部が切り欠かれていても光ユニットとしての強度を確保することができる。
【００３７】
また、この発明の光海底中継器ユニットによれば、補強板は一方の面が弧状をなし、他方の面がケーブル挿通部の縁部に当接して固定部材により筒状シャーシに接続固定され、一方の面と筒状シャーシの外周壁面とにより、ほぼ円形の外周面が形成されるので、従来の光海底中継器ユニットように別体の筒部を用いる必要がなく、部品点数を削減できる。
【００３８】
また、この発明の光海底中継器ユニットによれば、筒状シャーシのケーブル挿通部にケーブルホルダを設けたので、ケーブルの引き回しが容易にできる。
【図面の簡単な説明】
【図１】  この発明の実施の形態１による光海底中継器ユニットを搭載した光海底中継器を示す説明図である。
【図２】  図１に示す光海底中継器ユニット装置の説明図である。
【図３】  図２に示す光海底中継器ユニット装置の一部分解斜視図である。
【図４】  図３に示す矢視図であり、図４（ａ）は矢視Ｂによる光海底中継器ユニットの説明図，図４（ｂ）は矢視Ｃによる光海底中継器ユニットの説明図である。
【図５】  この発明の光海底中継器ユニットの他の態様を示す説明図であり、図５（ａ）は平面図、図（ｂ）は上面図を示す。
【図６】  従来の光海底中継器ユニット装置を示す説明図である。
【図７】  図７に示す光海底中継器ユニットの説明図である。
【符号の説明】
１  光海底中継器ユニット装置、  ２  耐圧筐体、  ３  板ばね、  ４  皿ばね、  ５  輪止め、  ６  光海底中継器、  １１〜１４  光海底中継器ユニット、  １１ａ〜１４ａ  シャーシ部、  １１ｂ〜１４ｂ  取付プレート部、  １１ｃ  ケーブル挿通部、  １１ｄ  補強板取り付け部、  １１ｅ  連結用段部、  １１ｆ  連結用溝部、  １１ｇ  ケーブルホルダ、  １５  ボルト、    １６  補強板、  １７，１８  端面板。
【図１】
0003931575.tif 000002
【図２】
0003931575.tif 000003
【図３】
0003931575.tif 000004
【図４】
0003931575.tif 000005
【図５】
0003931575.tif 000006
【図６】
0003931575.tif 000007
【図７】
0003931575.tif 000008